(57)【特許請求の範囲】
【請求項１】
建物の床基礎部上において床構成材を支持する床構成材支持具において、
軸体部と、昇降部とを有してなり、
前記軸体部は、鉛直方向に立ち上がるねじ軸と、このねじ軸の外周に設けられた雄ねじ部と、前記ねじ軸の上端側に形成された、該ねじ軸を回転させるためのねじ軸側工具嵌合部とを有し、前記床基礎部上に載置されるようになっており、
前記昇降部は、雌ねじ部材と、床構成材載置部と、皿ばねとを有し、
前記雌ねじ部材は、鉛直方向に設けられた筒状部と、この筒状部の内周に形成された、該雌ねじ部材を回転させるための雌ねじ部材側工具嵌合部と、前記筒状部より下方に設けられた前記筒状部より水平方向に突出する水平方向突出部と、前記筒状部の空洞部をその一部に含む軸方向に貫通された軸方向貫通穴と、この軸方向貫通穴の内周に設けられており、前記雄ねじ部に螺合された雌ねじ部とを有し、
前記床構成材載置部は、結合穴を有し、この結合穴に前記筒状部を貫通されているとともに、床構成材を載置されるようになっており、
前記皿ばねは前記床構成材載置部に重ねられた状態で前記筒状部に貫通されており、
前記筒状部は軸方向に圧縮されることにより一部の周壁を全周に渡って外側につば状に広がるようにかしめ変形されていて、これにより前記床構成材載置部および前記皿ばねは前記筒状部のかしめ変形部と前記水平方向突出部との間に挟まれるようにしてかしめられているが、前記床構成材載置部に対する前記雌ねじ部材の軸周りの相対回転は可能な状態とされており、かつ前記皿ばねは圧縮変形されて該皿ばねの復元力が前記雌ねじ部材と前記床構成材載置部との間に摩擦力を生じさせ、前記床構成材載置部に対する前記雌ねじ部材の相対回転に対し制動力を作用させるようになっており、
前記軸体部が回転されるか、または前記雌ねじ部材が回転されると、前記ねじ軸に対し前記雌ねじ部材が鉛直方向に移動し、前記床基礎部に対する前記床構成材の高さが調整されるようになっている床構成材支持具。
【請求項２】
前記ねじ軸は筒状をなしていて、前記ねじ軸側工具嵌合部は前記ねじ軸の内周に形成されており、
前記軸体部は前記ねじ軸の空洞部を含む、軸方向に貫通された軸方向貫通穴を有し、この軸方向貫通穴は前記雌ねじ部材の軸方向貫通穴と連通している請求項１記載の床構成材支持具。
【請求項３】
前記軸体部は前記床基礎部上に載置されるベース部を有し、前記ねじ軸は前記ベース部から鉛直方向に立ち上がっている請求項１または２記載の床構成材支持具。
【請求項４】
ゴム弾性を有する材料からなり、前記ベース部を収容するゴム弾性キャップと、このゴム弾性キャップの底部と前記ベース部との間に介在された、前記ゴム弾性キャップに対する前記ベース部の回転を円滑にする滑り支承板とを有する請求項３に記載の床構成材支持具。
【請求項５】
前記水平方向突出部は、横断面非円形状をなしており、前記雌ねじ部材を回転させるための工具を嵌合できるようになっている請求項１乃至４のいずれか１項に記載の床構成材支持具。
【請求項６】
建物の床基礎部上に載置された床構成材支持具と、この床構成材支持具に取り付けられた床構成材とを有してなる床構造において、
前記床構成材支持具は、軸体部と、昇降部とを有してなり、
前記軸体部は、鉛直方向に立ち上がるねじ軸と、このねじ軸の外周に設けられた雄ねじ部と、前記ねじ軸の上端側に形成された、該ねじ軸を回転させるためのねじ軸側工具嵌合部とを有し、前記床基礎部上に載置されるようになっており、
前記昇降部は、雌ねじ部材と、床構成材載置部と、皿ばねとを有し、
前記雌ねじ部材は、鉛直方向に設けられた筒状部と、この筒状部の内周に形成された、該雌ねじ部材を回転させるための雌ねじ部材側工具嵌合部と、前記筒状部より下方に設けられた前記筒状部より水平方向に突出する水平方向突出部と、前記筒状部の空洞部をその一部に含む軸方向に貫通された軸方向貫通穴と、この軸方向貫通穴の内周に設けられており、前記雄ねじ部に螺合された雌ねじ部とを有し、
前記床構成材載置部は、結合穴を有し、この結合穴に前記筒状部を貫通されているとともに、床構成材を載置されており、
前記皿ばねは前記床構成材載置部に重ねられた状態で前記筒状部に貫通されており、
前記筒状部は軸方向に圧縮されることにより一部の周壁を全周に渡って外側につば状に広がるようにかしめ変形されていて、これにより前記床構成材載置部および前記皿ばねは前記筒状部のかしめ変形部と前記水平方向突出部との間に挟まれるようにしてかしめられているが、前記床構成材載置部に対する前記雌ねじ部材の軸周りの相対回転は可能な状態とされており、かつ前記皿ばねは圧縮変形されて該皿ばねの復元力が前記雌ねじ部材と前記床構成材載置部との間に摩擦力を生じさせ、前記床構成材載置部に対する前記雌ねじ部材の相対回転に対し制動力を作用させるようになっており、
前記軸体部が回転されるか、または前記雌ねじ部材が回転されると、前記ねじ軸に対し前記雌ねじ部材が鉛直方向に移動し、前記床基礎部に対する前記床構成材の高さが調整されるようになっている床構造。
【請求項７】
前記床構成材支持具の前記ねじ軸は筒状をなしていて、前記ねじ軸側工具嵌合部は前記ねじ軸の内周に形成されており、
前記軸体部は前記ねじ軸の空洞部を含む、軸方向に貫通された軸方向貫通穴を有し、この軸方向貫通穴は前記雌ねじ部材の軸方向貫通穴と連通しており、前記軸体部の軸方向貫通穴に挿通されたねじまたは釘により前記軸体部が前記床基礎部に取り付けられている請求項６記載の床構造。
【請求項８】
前記床構成材支持具の前記軸体部は前記床基礎部上に載置されるベース部を有し、前記ねじ軸は前記ベース部から鉛直方向に立ち上がっている請求項６または７記載の床構造。
【請求項９】
前記床構成材支持具は、前記ベース部を収容するゴム弾性を有する材料からなるからゴム弾性キャップと、このゴム弾性キャップの底部と前記ベース部との間に介在された、前記ゴム弾性キャップに対する前記ベース部の回転を円滑にする滑り支承板とを有する請求項８に記載の床構造。
【請求項１０】
前記床構成材支持具の前記ねじ軸は筒状をなしていて、前記ねじ軸側工具嵌合部は前記ねじ軸の内周に形成されており、
前記軸体部は前記ねじ軸の空洞部を含む、軸方向に貫通された軸方向貫通穴を有し、この軸方向貫通穴は前記雌ねじ部材の軸方向貫通穴と連通しており、前記雌ねじ部材の軸方向貫通穴および前記軸体部の軸方向貫通穴を経由して前記軸体部と前記床基礎部との間に供給された接着剤により前記軸体部が前記床基礎部に接着して取り付けられている請求項６記載の床構造。
【請求項１１】
前記床構成材支持具の前記水平方向突出部は、横断面非円形状をなしており、前記雌ねじ部材を回転させるための工具を嵌合できるようになっている請求項６乃至１０のいずれか１項に記載の床構造。
【発明の詳細な説明】
【技術分野】
【０００１】
本発明は、建築物において、床基礎部上に床構成材を高さを調整可能に支持する床構造および床構成材支持具に関する。
【背景技術】
【０００２】
ねじ軸と、このねじ軸に螺合された雌ねじ部材とを有する床構成材支持具、およびこのような床構成材支持具を使用して床基礎部上に床構成材を高さを調整可能に支持する床構造は、従来より広く用いられている（例えば、特許文献１および２参照）。これらの床構成材支持具および床構造においては、前記雌ねじ部材側に床構成材を取り付け、上方からねじ軸または雌ねじ部材の一方に工具を嵌合して回転することにより、前記雌ねじ部材を前記ねじ軸の軸方向に移動させ、床構成材の高さを調整するようになっている。
【先行技術文献】
【特許文献】
【０００３】
【特許文献１】特開２０１１−７４６９４号公報
【特許文献２】特開２００９-２８１０６４号公報
【発明の概要】
【発明が解決しようとする課題】
【０００４】
しかしながら、従来のこの種の床構造および床構成材支持具においては、ねじ軸または雌ねじ部材の一方のみしか上方から操作できず、不便な場合があるという問題があった。
【０００５】
また、床構成材支持具が床スラブ等の床基礎部に単に載置されるだけで、ねじ、釘、接着剤等により取り付けられないないもの（例えば、特許文献１）が多かったが、安定性が欠けたり、ねじ軸の鉛直性を維持できなかったり、地震等による衝撃荷重に耐えられない等の虞があった。
【０００６】
また、床構成材支持具が床基礎部にねじや釘により取り付けられるようになっているもの（例えば、特許文献２）は、まず先に床構成材支持具を床基礎部に取り付け、しかる後に床構成材支持具に床構成材を取り付け、床構成材の高さ調整作業をせざる得ない構成となっていた。しかしながら、現実には、まず先に床構成材を床構成材支持具に取り付け、床基礎部に単に載置した状態で床構成材の高さ調整作業を行い、しかる後に床構成材支持具を床基礎部に取り付ける方が作業性がよいことが多い。
【０００７】
本発明は、このような従来の事情に鑑みてなされたもので、本発明の目的の一つは、上方からねじ軸および雌ねじ部材のいずれを操作しても床構成材の高さを調整することができる床構造および床構成材支持具を提供することにある。
【０００８】
本発明の他の目的は、まず床構成材を床構成材支持具に取り付け、次に床構成材の高さ調整作業を行い、しかる後に床構成材支持具を床基礎部に容易に取り付けることができる床構造および床構成材支持具を提供することにある。
【０００９】
本発明の他の目的は、床構成材支持具を床基礎部に取り付けた後も、床材の高さを調整行うことができる床構造および床構成材支持具を提供することにある。
【００１０】
本発明のさらに他の目的は、以下の説明から明らかになろう。
【課題を解決するための手段】
【００１１】
請求項１に記載の本発明による床構成材支持具は、
建物の床基礎部上において床構成材を支持する床構成材支持具において、
軸体部と、昇降部とを有してなり、
前記軸体部は、鉛直方向に立ち上がるねじ軸と、このねじ軸の外周に設けられた雄ねじ部と、前記ねじ軸の上端側に形成された、該ねじ軸を回転させるためのねじ軸側工具嵌合部とを有し、前記床基礎部上に載置されるようになっており、
前記昇降部は、雌ねじ部材と、床構成材載置部と、皿ばねとを有し、
前記雌ねじ部材は、鉛直方向に設けられた筒状部と、この筒状部の内周に形成された、該雌ねじ部材を回転させるための雌ねじ部材側工具嵌合部と、前記筒状部より下方に設けられた前記筒状部より水平方向に突出する水平方向突出部と、前記筒状部の空洞部をその一部に含む軸方向に貫通された軸方向貫通穴と、この軸方向貫通穴の内周に設けられており、前記雄ねじ部に螺合された雌ねじ部とを有し、
前記床構成材載置部は、結合穴を有し、この結合穴に前記筒状部を貫通されているとともに、床構成材を載置されるようになっており、
前記皿ばねは前記床構成材載置部に重ねられた状態で前記筒状部に貫通されており、
前記筒状部は軸方向に圧縮されることにより一部の周壁を全周に渡って外側につば状に広がるようにかしめ変形されていて、これにより前記床構成材載置部および前記皿ばねは前記筒状部のかしめ変形部と前記水平方向突出部との間に挟まれるようにしてかしめられているが、前記床構成材載置部に対する前記雌ねじ部材の軸周りの相対回転は可能な状態とされており、かつ前記皿ばねは圧縮変形されて該皿ばねの復元力が前記雌ねじ部材と前記床構成材載置部との間に摩擦力を生じさせ、前記床構成材載置部に対する前記雌ねじ部材の相対回転に対し制動力を作用させるようになっており、
前記軸体部が回転されるか、または前記雌ねじ部材が回転されると、前記ねじ軸に対し前記雌ねじ部材が鉛直方向に移動し、前記床基礎部に対する前記床構成材の高さが調整されるようになっているものである。
【００１２】
請求項６に記載の本発明による床構造は、
建物の床基礎部上に載置された床構成材支持具と、この床構成材支持具に取り付けられた床構成材とを有してなる床構造において、
前記床構成材支持具は、軸体部と、昇降部とを有してなり、
前記軸体部は、鉛直方向に立ち上がるねじ軸と、このねじ軸の外周に設けられた雄ねじ部と、前記ねじ軸の上端側に形成された、該ねじ軸を回転させるためのねじ軸側工具嵌合部とを有し、前記床基礎部上に載置されるようになっており、
前記昇降部は、雌ねじ部材と、床構成材載置部と、皿ばねとを有し、
前記雌ねじ部材は、鉛直方向に設けられた筒状部と、この筒状部の内周に形成された、該雌ねじ部材を回転させるための雌ねじ部材側工具嵌合部と、前記筒状部より下方に設けられた前記筒状部より水平方向に突出する水平方向突出部と、前記筒状部の空洞部をその一部に含む軸方向に貫通された軸方向貫通穴と、この軸方向貫通穴の内周に設けられており、前記雄ねじ部に螺合された雌ねじ部とを有し、
前記床構成材載置部は、結合穴を有し、この結合穴に前記筒状部を貫通されているとともに、床構成材を載置されており、
前記皿ばねは前記床構成材載置部に重ねられた状態で前記筒状部に貫通されており、
前記筒状部は軸方向に圧縮されることにより一部の周壁を全周に渡って外側につば状に広がるようにかしめ変形されていて、これにより前記床構成材載置部および前記皿ばねは前記筒状部のかしめ変形部と前記水平方向突出部との間に挟まれるようにしてかしめられているが、前記床構成材載置部に対する前記雌ねじ部材の軸周りの相対回転は可能な状態とされており、かつ前記皿ばねは圧縮変形されて該皿ばねの復元力が前記雌ねじ部材と前記床構成材載置部との間に摩擦力を生じさせ、前記床構成材載置部に対する前記雌ねじ部材の相対回転に対し制動力を作用させるようになっており、
前記軸体部が回転されるか、または前記雌ねじ部材が回転されると、前記ねじ軸に対し前記雌ねじ部材が鉛直方向に移動し、前記床基礎部に対する前記床構成材の高さが調整されるようになっているものである。
【００１３】
請求項１および６に記載の本発明においては、上方から雌ねじ部材の軸方向貫通穴を通してねじ軸側工具嵌合部に工具を嵌合してねじ軸ひいては軸体部を回転して床構成材の高さを調整することも、上方から雌ねじ部材側工具嵌合部に工具を嵌合して雌ねじ部材を回転して床構成材の高さを調整することもできる。
【００１４】
請求項２に記載の本発明による床構成材支持具並びに請求項７および１０に記載の本発明による床構造においては、ねじ軸は筒状をなしていて、ねじ軸側工具嵌合部はねじ軸の内周に形成されており、軸体部はねじ軸の空洞部を含む、軸方向に貫通された軸方向貫通穴を有し、この軸方向貫通穴は雌ねじ部材の軸方向貫通穴と連通している。
【００１５】
したがって、まず床構成材を床構成材支持具に取り付け、次に床構成材の高さ調整作業を行い、しかる後にねじまたは釘を雌ねじ部材の軸貫通穴を経由して軸体部の軸方向貫通穴に挿通し、建物の床基礎部（床基礎部に直接取り付けるのでない場合は、中間に介在される部材）にねじ込むかまたは打ち込むことにより、床構成材支持具を床基礎部に取り付けることもできるし（請求項７の床構造）、雌ねじ部材の軸方向貫通穴および軸体部の軸方向貫通穴を経由して軸体部と床基礎部との間に供給した接着剤により軸体部を床基礎部に接着して取り付ける（請求項１０の床構造）こともできる。
【００１６】
また、このようにして軸体部を床基礎部に取り付けると、以後はねじ軸（軸体部）を回転して床構成材の高さを調整することはできなくなるが、依然として、雌ねじ部材工具嵌合部の方に工具を嵌合して雌ねじ部材を回転して床構成材の高さを調整することはできるので、床構成材支持具を床基礎部に取り付けた後も床構成材の高さを調整を行うことができる。
【発明の効果】
【００１７】
本発明によれば、
（イ）上方からねじ軸（軸体部）および雌ねじ部材のいずれを操作しても床構成材の高さを調整することができる、
（ロ）ねじ軸を筒状とし、ねじ軸側工具嵌合部をねじ軸の内周に形成し、軸体部がねじ軸の空洞部を含む、軸方向に貫通された軸方向貫通穴を有し、この軸方向貫通穴が雌ねじ部材の軸方向貫通穴と連通しているようにすれば、まず先に床構成材を床構成材支持具に取り付け、床構成材の高さ調整作業を行い、しかる後に床構成材支持具を床基礎部に取り付けることができ、しかも床構成材支持具を床基礎部に取り付けた後も、雌ねじ部材工具嵌合部の方に工具を嵌合し、雌ねじ部材を回転して床構成材の高さを調整することができる、
等の優れた効果を得られるものである。
【図面の簡単な説明】
【００１８】
【図１】本発明の実施例１における床構成材支持具を示す分解斜視図である。
【図２】実施例１における床構成材支持具の軸体部を示す平面図である。
【図３】実施例１における床構成材支持具の軸体部を示す正面図である。
【図４】図２のＩＶ−ＩＶ線における断面図である。
【図５】実施例１における床構成材支持具の昇降部を示す平面図である。
【図６】実施例１における床構成材支持具の昇降部を示す正面図である。
【図７】実施例１における床構成材支持具の昇降部を示す底面図である。
【図８】図５のＶＩＩＩ−ＶＩＩＩ線における断面図である。
【図９】実施例１における床構成材支持具全体を示す平面図である。
【図１０】実施例１における床構成材支持具全体を示す断面図である。
【図１１】本発明の実施例１における床構造を示す断面図である。
【図１２】本発明の実施例２における床構造を示す断面図である。
【図１３】本発明の実施例３における床構成材支持具全体を示す断面図である。
【発明を実施するための形態】
【００１９】
以下、本発明を図面に示す実施例に基づいて説明する。
【実施例１】
【００２０】
図１〜１１は本発明による床構造および床構成材支持具の実施例１を示しており、このうち図１〜１０は実施例１における床構成材支持具１、図１１は実施例１における床構造を示している。
【００２１】
図１，９および１０に示されているように、床構成材支持具１は軸体部２と、昇降部３と、ゴム弾性キャップ４と、滑り支承板５とを有してなる。
【００２２】
図１〜４に示されているように、前記軸体部２は、鋼鉄、ステンレス鋼等の金属からなり、円板状のベース部６と、このベース部６から鉛直方向に立ち上がる大略円筒状のねじ軸７とを一体的に有している。前記ねじ軸７の外周には、雄ねじ部８が設けられている。前記ねじ軸７の上端側内周には、横断面六角形状のねじ軸側工具嵌合部９が設けられている。図４によく示されているように、前記ベース部６には、ねじ軸７の空洞部に連続する穴が設けられており、これにより全体として軸体部２には、ねじ軸７の空洞部をその一部として含み、該軸体部２を軸方向に貫通する軸方向貫通穴１０が形成されている。
【００２３】
図１，図５〜８に示されているように、前記昇降部３は、雌ねじ部材１１と、床構成材載置部１２と、皿ばね１３とを有してなる。前記雌ねじ部材１１は、鋼鉄、ステンレス鋼等の金属からなり、鉛直方向に設けられていて該雌ねじ部材１１の上端側をなす筒状部１４と、この筒状部１４より下方に設けられていて筒状部１４より水平方向に突出する水平方向突出部１５とを一体的に有している。前記筒状部１４の上端側内周には、横断面六角形状の雌ねじ部材側工具嵌合部１６が形成されている。前記水平方向突出部１５の外周は、横断面六角形状とされ、スパナ等の工具を嵌合して雌ねじ部材１１を回転するための工具嵌合部として使用できるようになっている。図８によく示されているように、前記水平方向突出部１５の中心部には、筒状部１４の空洞部に連続する穴が設けられており、これにより全体として雌ねじ部材１１には、筒状部１４の空洞部をその一部として含み、該雌ねじ部材１１を軸方向に貫通する軸方向貫通穴１７が形成されている。この軸方向貫通穴１７の内周の一部には、雌ねじ部１８が設けられている。
【００２４】
前記床構成材載置部１２は、鋼鉄、ステンレス鋼等の金属からなり、円板状で中心部に円形の結合穴１９（図８参照）を有しており、この結合穴１９に筒状部１４を貫通されている。また、前記床構成材載置部１２には、取付穴２０が設けられている。前記皿ばね１３は、床構成材載置部１２に重ねられた状態で筒状部１４に貫通されている。
【００２５】
前記筒状部１４の一部は、軸方向に圧縮されることにより、一部の周壁を全周に渡って外側につば状に広がるようにかしめ変形されている（符号２１はこのかしめ変形部を示している）。これにより、床構成材載置部１２および皿ばね１３は筒状部１４のかしめ変形部２１と水平方向突出部１５との間に挟まれるようにしてかしめられている。ただし、前記かしめはある程度緩く行われており、それにより、床構成材載置部１２に対する雌ねじ部材１１の軸周りの相対回転は可能な状態とされている。また、前記かしめにより、皿ばね１３は圧縮変形されて該皿ばね１３の復元力（雌ねじ部材１１に対し床構成材載置部１２を下方に付勢している）が雌ねじ部材１１と床構成材載置部１２との間に摩擦力を生じさせ、床構成材載置部１２に対する雌ねじ部材１１の相対回転に対し制動力を作用させるようになっている。
【００２６】
前記ゴム弾性キャップ４はゴムまたは熱可塑性エラストマー等のゴム弾性を有する材料からなるからなり、図１および１０に示されているように、大略有底円筒状をなしており、その内部に軸体部２のベース部６を収容するようになっている。前記ゴム弾性キャップ４の底部中心部には円形の穴２２が設けられている。前記滑り支承板５はプラスチックからなり、中心部に円形の穴２３を有する円板状をなしており、ゴム弾性キャップ４の底部とベース部６との間に介在され、ゴム弾性キャップ４に対し軸体部２が円滑に回転できるようにしている。
【００２７】
前述のように、図１１は、本実施例における床構造を示している。この床構造を施工する場合、まず下地板２４（本実施例における床構成材の１つ）に取付穴２０を用いて取付ねじ２５により床構成材載置部１２を取り付ける。なお、下地板２４の下面には断熱材層２６が貼られている。
【００２８】
次に、ＡＬＣ版からなる床基礎部２７上に、ベース部６がゴム弾性キャップ４および滑り支承板５を介して床基礎部２７の表面に接することとなるようにして、床構成材支持具１を載置する。なお、図では床構成材支持具１を１つのみ示しているが、床構成材支持具１は必要数設置される。
【００２９】
次に、上方から雌ねじ部材１１の軸方向貫通穴１７を通して軸体部２のねじ軸７のねじ軸側工具嵌合部９に六角レンチ等の工具を嵌合してねじ軸７ひいては軸体部２を回転して下地板２４の高さを調整するか、または上方から雌ねじ部材１１の筒状部１４の雌ねじ部材側工具嵌合部１６に六角レンチ等の工具を嵌合して筒状部１４ひいては雌ねじ部材１１を回転して下地板２４の高さを調整する。
【００３０】
ここで、軸体部２を回転して高さ調整作業を行う場合は、軸体部２の方は皿ばね１３による摩擦力を作用されていないので、雌ねじ部材１１より軽く回転できるという利点がある。他方、雌ねじ部材１１を回転して高さ調整作業を行う場合は、雌ねじ部材側工具嵌合部１６はねじ軸側工具嵌合部９より大きくでき、したがって大きなトルクを作用することができるという利点が得られる。いずれの工具嵌合部９，１６を使用して高さ調整を行うかは、このようなそれぞれの利点を考慮して選択することができる。
【００３１】
また、万一ねじ軸側工具嵌合部９または雌ねじ部材側工具嵌合部１６の一方が損傷して使用不能になっても、残りの一方の工具嵌合部９，１６を使用して高さ調整を行うことができる。
【００３２】
なお、側方から水平方向突出部１５にアクセスできる場合は、水平方向突出部１５に工具を嵌合して雌ねじ部材１１を回転して下地板２４の高さを調整してもよい。
【００３３】
次に、コンクリート用ねじまたは釘２８を、雌ねじ部材１１の軸方向貫通穴１７を経由して、軸体部２の軸方向貫通穴１０、滑り支承板５の穴２３およびゴム弾性キャップ４の穴２２に挿通し、床基礎部２７にねじ込むかまたは打ち込むことにより、床構成材支持具１を床基礎部２７に取り付ける。
【００３４】
このようにして床構成材支持具１を床基礎部２７に取り付けた後は、軸体部２を回転して床構成材の高さを調整することはできなくなるが、雌ねじ部材側工具嵌合部１６の方に工具を嵌合して筒状部１４ひいては雌ねじ部材１１を回転することにより、その後も下地板２４（床構成材）の高さを調整することができる。したがって、床構成材支持具１を床基礎部２７に取り付けた後も下地板２４（床構成材）の高さを調整を行うことができる。
【００３５】
また、皿ばね１３が雌ねじ部材１１と床構成材載置部１２との間に摩擦力を生じさせ、床構成材載置部１２に対する雌ねじ部材１１の回転に対し制動力を作用させているので、床構成材支持具１を床基礎部２７に取り付けた後、雌ねじ部材１１が勝手に回転して下地板２４（床構成材）の調整された高さが狂ってしまうことはない。
【００３６】
軸体部２を床基礎部２７に取り付けた後、下地板２４の上に、床暖房パネル２９（本実施例における床構成材の１つ）取り付け、さらにその上に床仕上げ材３０（本実施例における床構成材の１つ）を取り付ける。
【実施例２】
【００３７】
図１２は、本発明による床構造および床構成材支持具の実施例２を示している。本実施例においては、床構成材支持具１は、ゴム弾性キャップ４および滑り支承板５を有していないが、他の構成は実施例１の場合と同様である。。
【００３８】
この床構造を施工する場合、まず、実施例の１の場合と同様にして、下地板２４（本実施例における床構成材の１つ）に取付穴２０を用いて取付ねじ２５により床構成材載置部１２を取り付ける。
【００３９】
次に、ＡＬＣ版からなる床基礎部２７上に、ベース部６の底面が床基礎部２７の表面に直接接することとなるようにして、床構成材支持具１を載置する。
【００４０】
次に、実施例の１の場合と同様にして、下地板２４の高さを調整する。
【００４１】
次に、矢印Ａで示されるように、雌ねじ部材１１の軸方向貫通穴１７および軸体部２の軸方向貫通穴１０を経由して軸体部２のベース部６の底面と床基礎部２７との間に接着剤３１を供給してベース部６を床基礎部２７に接着して取り付ける。なお、この場合、ベース部６の底面に放射方向に溝（図示せず）を設ける等により、ベース部６の底面と床基礎部２７との間に接着剤３１が供給されやすくなるようにしてもよい。
【００４２】
このようにして、軸体部２を床基礎部２７に取り付けた後、下地板２４の上に床暖房パネル２９（本実施例における床構成材の１つ）取り付け、さらにその上に床仕上げ材３０（本実施例における床構成材の１つ）を取り付ける。
【実施例３】
【００４３】
図１３は、本発明による床構成材支持具の実施例３を示している。本実施例においては、昇降部３の床構成材載置部１２は、結合穴１９の周囲の部分をプレス絞り加工している（符号３２はこの絞り加工部を示している）。他の構成は実施例１と同様である。
【００４４】
本実施例においては、床構成材載置部１２の強度を向上できる他、実施例１と同様の作用効果を得ることができる。
【００４５】
なお、前記各実施例は暖房パネルや断熱材層を含む床構造であるが、本発明は暖房パネルや断熱材層を含まない床構造にも適用できるものである。
【００４６】
また、前記各実施例は床基礎部２７がＡＬＣ版により構成されている場合であるが、本発明は床基礎部がＡＬＣ版以外のもので構成されている場合にも適用できるものである。
【００４７】
また、前記各実施例においては、床構成材支持具１を床基礎部２７に直接取り付けているが、本発明においては、床構成材支持具を床基礎部に取り付けられた部材に取り付けることにより、床構成材支持具を間接的に床基礎部に取り付けてもよい。
【００４８】
また、軸体部の軸方向貫通穴に挿通するねじまたは釘は、必ずしもコンクリート用でなくてもよい。
【００４９】
さらに、請求項１および６に記載の発明においては、床構成材支持具を床基礎部に取り付けず、床基礎部上に単に載置するだけでもよい。
【００５０】
また、前記各実施例においては、雌ねじ部材側工具嵌合部１６、ねじ軸側工具嵌合部９および水平方向突出部１５の横断面形状をそれぞれ六角形としているが、これらの横断面形状は四角形等の他の非円形状としてもよい。また、ねじ軸７を筒状としないで中実とする場合は、ねじ軸側工具嵌合部をドライバーを嵌合する十字穴状やマイナス溝状等としてもよい。また、水平方向突出部は、工具嵌合部としての機能させる必要がない場合は、横断面円形状としてもよい。
【産業上の利用可能性】
【００５１】
以上のように本発明による床構造および床構成材支持具は、建築物において床構成材の高さ調整を可能に支持する床構造および床構成材支持具として有用である。
【符号の説明】
【００５２】
１    床構成材支持具
２    軸体部
３    昇降部
４    ゴム弾性キャップ
５    滑り支承板
６    ベース部
７    ねじ軸
８    雄ねじ部
９    ねじ軸側工具嵌合部
１０    軸体部２の軸方向貫通穴
１１    雌ねじ部材
１２    床構成材載置部
１３    皿ばね
１４    筒状部
１５    水平方向突出部
１６    雌ねじ部材側工具嵌合部
１７    雌ねじ部材１１の軸方向貫通穴
１８    雌ねじ部
１９    結合穴
２１    筒状部１４のかしめ変形部
２４    下地板（床構成材）
２７    床基礎部
２８    コンクリート用ねじまたは釘
２９    床暖房パネル（床構成材）
３０    床仕上げ材（床構成材）
３１    接着剤
【図１】
0005785865.tif 000002
【図２】
0005785865.tif 000003
【図３】
0005785865.tif 000004
【図４】
0005785865.tif 000005
【図５】
0005785865.tif 000006
【図６】
0005785865.tif 000007
【図７】
0005785865.tif 000008
【図８】
0005785865.tif 000009
【図９】
0005785865.tif 000010
【図１０】
0005785865.tif 000011
【図１１】
0005785865.tif 000012
【図１２】
0005785865.tif 000013
【図１３】
0005785865.tif 000014